(57)【要約】【課題】街の景観を害さず、かついたずら等による破損の被害を受けにくくするための電気機器について提案する。【解決手段】本開示による電気機器は、防犯カメラの形状をなす筐体と、所定の電気機器の主要部品と、を備える。そして、筐体に電気機器の主要部品が収容されている。【選択図】図２
2017224954.tif 000002
【特許請求の範囲】
【請求項１】
防犯カメラの形状をなす筐体と、
所定の通信機器と、を備え、
前記筐体内部に前記通信機器が収容されている、電気機器。
【請求項２】
請求項１において、
前記防犯カメラの形状をなす筐体は筒形状をなす、電気機器。
【請求項３】
請求項２において、
前記筐体は、壁面、或いは天井面に取り付けられる、電気機器。
【請求項４】
請求項１において、
前記防犯カメラの形状をなす筐体はドーム形状をなす、電気機器。
【請求項５】
請求項１において、
前記筐体は、天井面に取り付けられるものであって、天井に埋め込まれる部分と、天井から突出する部分と、を有する、電気機器。
【請求項６】
請求項１において、
前記防犯カメラの形状をなす筐体は、内部に前記通信機器としてアンテナ素子を収容する、電気機器。
【請求項７】
請求項１において、
前記防犯カメラの形状をなす筐体は、内部に前記通信機器として無線機とアンテナ素子とを収容する、電気機器。
【請求項８】
複数のアンテナ装置を備えるＭＩＭＯシステムであって、
前記複数のアンテナ装置のそれぞれは、
防犯カメラの形状をなす筐体と、内部に
前記通信機器と、を備え、
前記筐体に前記通信機器が収容されている、
ＭＩＭＯシステム。
【発明の詳細な説明】
【技術分野】
【０００１】
本開示は、電気機器、及びＭＩＭＯシステムに関する。
【背景技術】
【０００２】
最近では、携帯電話の急激な普及に伴い、街中いたるところに携帯電話の基地局用アンテナが設置されている。このようなアンテナは無線通信には欠かすことのできないものであるにも拘らず、目立つ場所に設置すると街の景観を害すとして、なるべく人目に触れないような場所に設置されることが多い。
【０００３】
しかしながら、アンテナは電波を放射する必要があるため、アンテナの周りには電波の障害となる物が存在しない方が好ましく、従って、本来ならば人の目に触れる場所に設置されるのが望ましい。その一方で、アンテナが人の目に触れる場所に設置されるといたずら等による破損の被害を受ける可能性がある。
例えば、特許文献１では、自動販売機の内部にアンテナを収容することが提案されている。
【先行技術文献】
【特許文献】
【０００４】
【特許文献１】特開２００１−６７５４０号公報
【発明の概要】
【発明が解決しようとする課題】
【０００５】
本開示は、街の景観を害さず、かついたずら等による破損の被害を受けにくくするための電気機器について提案する。
【課題を解決するための手段】
【０００６】
本開示による電気機器は、防犯カメラの形状をなす筐体と、所定の通信機器と、を備える。そして、筐体内部に通信機器が収容されている。
さらなる本開示の特徴は、以下本開示を実施するための形態および添付図面によって明らかになるものである。
【発明の効果】
【０００７】
本開示によれば、電気機器は街の景観を害すことがなく、また、いたずら等による破損の被害を受けにくくなる。
【図面の簡単な説明】
【０００８】
【図１】第１の実施形態によるアンテナ装置１の外観構成例を示す図である。
【図２】第１の実施形態によるアンテナ装置１の分解構成例を示す図である。
【図３】第２の実施形態によるアンテナ装置３０の外観構成例と分解構成例を示す図である。
【図４】第３の実施形態によるアンテナ装置４０の外観構成例を示す図である。
【図５】変形例１による防犯カメラ型筐体に無線機とアンテナ装置とを収容して構成される電気機器５０の外観構成例を示す図である。
【図６】変形例２によるＭＩＭＯシステムの例を示す図である。
【発明を実施するための形態】
【０００９】
以下、添付図面を参照して本開示の実施形態について説明する。添付図面では、機能的に同じ要素は同じ番号で表示される場合もある。本実施形態では、当業者が本開示を実施するのに十分詳細にその説明がなされているが、他の実装・形態も可能で、本開示の技術的思想の範囲と精神を逸脱することなく構成・構造の変更や多様な要素の置き換えが可能であることを理解する必要がある。従って、以降の記述をこれに限定して解釈してはならない。
【００１０】
本実施形態では、電気機器としてアンテナ装置を例に本開示の特徴について説明するが、本開示の特徴はアンテナ装置を含む設置型装置であれば如何なる電気機器（例えば、基地局装置や通信装置など）についても適用可能である。
【００１１】
また、本開示の実施形態では、電気機器は以下に説明する第１乃至第３の実施形態や変形例で示した防犯カメラの形状をなす筐体に収容されるように構成されるが、本開示の要旨は防犯カメラ（一般に景観を害するとは認識されていない）であればどのような形状の防犯カメラ筐体でも適用可能である。
【００１２】
（１）第１の実施形態
＜アンテナ装置外観＞
図１は、第１の実施形態によるアンテナ装置１の外観構成例を示す図である。図１Ａは、正面上側からアンテナ装置１を見た図である。図１Ｂは、背面からアンテナ装置１を見た図である。
【００１３】
図１Ａからも分かるように、アンテナ装置１は、ボックス型防犯カメラの外観を有しており、内部にアンテナ素子（図１には図示せず）を収容するための筐体１０と、筐体１０をカバーする筐体カバー１１と、筐体カバー１１が取り付けられた筐体１０を壁面或いは天井面に取り付けるための取付金具１２と、を備えているが、カメラとしての機能は備えていない。
【００１４】
図１Ｂから分かるように、アンテナ装置１の背面においては、アンテナに電源を供給するためのコネクタ１６が露出されている。取付金具１２の分解構成と、筐体１０と取付金具１２との接続については後述する。
【００１５】
また、筐体１０の電波放射面には、外観を防犯カメラにより近くするために、例えばアクリル板（電波の障害にならなければどのような材料の部材でも構わない）などで構成された窓部１０１が設けられている。よって、アンテナ装置１の外観は、一定の距離が離れた場所から見れば防犯カメラそのものである。昨今、防犯カメラは、街中の至る所に設置されているが、景観を害するという意見や印象は特になく、人目に触れることにより、犯罪の抑止力を発揮する。とすれば、外観を防犯カメラに似せたアンテナ装置１も景観を害することはなく、しかも敢えて人目に触れる場所に設置することができるので、電波をより確実に携帯電話やスマートフォンなどの電子機器に届けることができるようになる。
【００１６】
なお、最近は、スモールセルに対応して、基地局がカバーするエリアを小さく設定し、基地局のアンテナを小さく構成（周波数帯が高いため）して設置高さも低い位置にするようになってきている。例えば、アンテナを設置する高さ位置としては建物の２階から３階である。２階から３階の高さであれば、防犯カメラの設置位置とほぼ同じであり、防犯カメラの外観に似せたアンテナ装置１がその位置に設置されていても何ら不自然ではない。
【００１７】
＜アンテナ装置の分解構成＞
図２は、本実施形態によるアンテナ装置１の分解構成例を示す図である。筐体１０は、例えば八木アンテナで構成されるアンテナ素子２０を収容する。筐体１０の後端部からはアンテナ素子２０に給電するためのコネクタ１６が外部に突出している。アンテナ素子２０を収容した筐体１０には筐体カバー１１が取り付けられる。
【００１８】
一方、アンテナ装置１を壁面或いは天井面に取り付けるための取付金具１２は、取付基部１２１と、横方向可変金具１２２と、縦方向可変金具１２３と、接続金具１２５と、筐体後方蓋部材１２８と、によって構成される。筐体後方蓋部材１２８は、コネクタ１６が貫通穴１２８１及び１２８２を通るように筐体１０の後方部に取り付けられる。また、接続金具１２５は、コネクタ１６が貫通穴１２５１及び１２５２を通るように筐体後方蓋部材１２８と密着するように取り付けられる。そして、接続金具１２５及び筐体後方蓋部材１２８はネジ１２６によって、筐体１０の後方部に固定される。さらに、接続金具１２５の底面部１２５３は、縦方向可変金具１２３にボルト１２４とナット１２７によって固定される。横方向可変金具１２２が取付基部１２１に固定（例えばネジ止め）された後、縦方向可変金具１２３が、横方向可変金具１２２に、例えばボルト及びナット（図示せず）によって固定される。取付基部１２１は、所定の壁面や天井面、或いは構造物に設けられた取り付け面などに固定される。なお、アンテナ装置１においては、例えば、窓部１０１から筐体１０が向く方向に電波が放射されるようになっている。
【００１９】
（２）第２の実施形態
図３は、第２の実施形態によるアンテナ装置３０の外観構成例（図３Ａ）と分解構成例（図３Ｂ）を示す図である。
【００２０】
図３Ａに示されるように、アンテナ装置３０は、例えば天井面に取り付けられるドーム型防犯カメラの形状をなしている。アンテナ装置３０は、筐体３１と、半透明のプラスティックで形成された半球（ドーム）型の窓部３２と、を備え、内部に、アンテナ素子（基板類）３３と反射板３４とを収容している。反射板３４は、複数のネジ３５によって筐体３１に固定される。また、反射板３４には、アンテナ素子３３に給電するためのコネクタ３６が取り付けられる。図３の例では、アンテナ素子３３と反射板３４によって偏波共用アンテナを構成している。偏波共用アンテナは、無指向性の水平偏波アンテナ３３１と、無指向性の垂直偏波アンテナ３３２と、寄生素子（図示せず）と、反射板３４と、を備える。無指向性の水平偏波アンテナは１つに限定されるものではなく、必要に応じて複数設けることができる。なお、アンテナ装置３０においては、例えば、ドーム型の窓部３２から全方向に電波が放射されるようになっている。なお、本実施の形態においても、カメラとしての機能は備えていない。
【００２１】
（３）第３の実施形態
図４は、第４の実施形態によるアンテナ装置４０の外観構成例を示す図である。アンテナ装置４０は、天井４５に埋め込んで設置される、天井埋め込み式ボックス型防犯カメラの形状を有している（図４Ａ参照）。
【００２２】
図４Ｂに示されるように、アンテナ装置４０の筐体は、窓部４３を有する突出部４１と、天井埋め込み部４２と、を備えており、図示しないアンテナ素子（基板類）を内部に収容する。なお、アンテナ素子としては、例えば、第１の実施形態（図２参照）と同様なものを採用することができる。アンテナ装置４０においては、例えば、窓部４３から前方向に電波が放射されるようになっている。なお、本実施の形態においても、カメラとしての機能は備えていない。
【００２３】
（４）変形例
（i）変形例１：防犯カメラ型無線機
防犯カメラの筐体に無線機とアンテナ装置とを収容するようにしても良い。図５は、防犯カメラ型筐体に無線機やアンテナ装置などの通信機器を収容して構成される電気機器（通信装置）５０の外観構成例を示す図である。
【００２４】
電気機器５０の筐体は、例えば、電灯形状をなしており、無線機収容部５１と、アンテナ収容部５２と、腕部５３と、取付部（例えば、壁面に取り付けるための部位）５４と、を備えている。
【００２５】
なお、変形例１では、電灯形状をなす防犯カメラ型電気機器を示したが、第１乃至第３の実施形態によるアンテナ装置１、３０、及び４０に無線機をさらに収容するようにしてもよいが、カメラとしての機能は備えていない。
【００２６】
（ii）変形例２：ＭＩＭＯ（Multi-Input Multi-Output）用アンテナへの適用
ＭＩＭＯは、複数のアンテナを組み合わせてデータ送受信の帯域を広げる無線通信技術であり、無線通信の高速化などに応用される技術である。従って、特定の場所に複数のアンテナを設置する必要がある。ところが、上述したように、景観を害するとしてアンテナが設置できない場合が多い。その一方、防犯カメラは特定の場所に多くを設置したとしても景観上問題とならない場合が多い。
【００２７】
そこで、例えば、第１乃至第３の実施形態によるアンテナ装置１、３０、及び４０を特定の場所に複数設置することにより、景観を害さずにＭＩＭＯを実現する。例えば、図６に示されるように、駅などにおいて通路の幅いっぱいに防犯カメラ形状のアンテナ装置６０を設置することにより、通信速度を向上させることができる。ＭＩＭＯでは、１つのアンテナ装置で２ＭＩＭＯの状態を構成するのが通常であるので、８ＭＩＭＯを実現する場合には４台のアンテナ装置を設置することになる。
【００２８】
＜まとめ＞
（i）本実施形態による電気機器は、防犯カメラの形状をなす筐体と、当該電気機器の主要部品と、を備えている。そして、筐体に機器の主要部品が収容されている。このようにすることにより、通常は景観を害するとされてしまう電気機器を街の景観を害しないものとすることができる。また、一見すると防犯カメラであるため、いたずらされる危険性も少なくすることができる。なお、防犯カメラの形状としては、例えば、筒形状、ドーム形状、電灯（街灯）形状等を採用することが可能である。ただし、本開示の要旨は、この形状に限定されるのではなく、防犯カメラの形状であればどのような形状であってもよい。
本実施形態による電気機器は、壁面、或いは天井面に取り付けられる。天井面に取り付けられる場合、筐体の一部が天井に埋め込まれるようにしてもよい。
【００２９】
（ii）本開示の応用例として、複数のアンテナ装置を備えるＭＩＭＯシステムが考えられる。この場合、ＭＩＭＯシステムを構成する複数のアンテナ装置のそれぞれは、防犯カメラの形状をなす筐体と、アンテナ装置の主要部品と、を備える。そして、筐体にアンテナ装置の主要部品が収容されている。このようにすることにより、人目に触れる場所にアンテナ装置を設置し、高速通信のためのＭＩＭＯシステムを提供することができるようになる。
【符号の説明】
【００３０】
１、３０、４０、６０  アンテナ装置
１０  筐体
１１  筐体カバー
１２  取付金具
５０  電気機器
【図１】
2017224954.tif 000003
【図２】
2017224954.tif 000004
【図３】
2017224954.tif 000005
【図４】
2017224954.tif 000006
【図５】
2017224954.tif 000007
【図６】
2017224954.tif 000008